(57)【特許請求の範囲】
【請求項１】
化粧料を収容する複数の化粧皿が１個のフレームにそれぞれが着脱可能に配置された容器本体と、前記容器本体に対して開閉可能に設けられた蓋から構成される化粧料容器であって、
前記フレームは、平行に配置された２個の横骨組、および前記２個の横骨組を繋ぐ１個の縦骨組からなる略Ｉ型の平面形状を有し、
前記縦骨組の左右に形成された２個のスペースに、前記２個の横骨組と水平方向にスライド係合する前記化粧皿がそれぞれ着脱可能に配置されていることを特徴とする化粧料容器。
【請求項２】
前記横骨組と平行な枝骨組みが前記縦骨組から延伸され、前記枝骨組みによって前記２個のスペースのいずれかまたは両方が複数に分割され、分割された各スペースに、前記横骨組あるいは前記枝骨組みとスライド係合する化粧皿がそれぞれ着脱可能に配置されていることを特徴とする請求項１に記載の化粧料容器。
【請求項３】
前記化粧皿の裏面に窪みが設けられていることを特徴とする請求項１または２に記載の化粧料容器。
【請求項４】
前記蓋に側面が設けられ、前記蓋を閉じたときに前記蓋の側面が、前記容器本体に配置された前記化粧皿の露出された側面を覆うことを特徴とする請求項１〜３のいずれか１項に記載の化粧料容器。
【発明の詳細な説明】
【技術分野】
【０００１】
本発明は、複数の着脱可能な化粧皿を用いた化粧料容器に関する。
【背景技術】
【０００２】
化粧料容器の１個として、１個の化粧料容器に複数の化粧料、例えば、アイシャドウ、フェイスカラーといった種類の異なる化粧料、あるいは同じ化粧料、例えばアイシャドウでも色の異なる複数のアイシャドウを収容し、コンパクト等の持ち運びがしやすい大きさに形成された化粧料容器が多数用いられている。
【０００３】
また、このような複数の化粧料を入れ替えるために、化粧料が収容された化粧皿を着脱可能とした化粧料容器が用いられている。このような化粧料容器の化粧皿は主に蓋を開けて容器本体の上から化粧皿を出し入れする構造が一般的である（特許文献１参照）。
【先行技術文献】
【特許文献】
【０００４】
【特許文献１】特開２００５−１３１１８２号公報
【発明の概要】
【発明が解決しようとする課題】
【０００５】
しかしながら、従来の化粧料容器の構造では、化粧皿をスムーズに取り外すのが難しいという問題があった。例えば、取り外しの際に化粧皿内の化粧料で指先が汚れてしまうという問題もある。
【０００６】
そこで、本発明は前記問題を解決するために、簡単な動作で化粧皿が取り外し可能な化粧料容器を提供することを目的とする。
【課題を解決するための手段】
【０００７】
本発明の化粧料容器は、化粧料を収容する複数の化粧皿が１個のフレームにそれぞれが着脱可能に配置された容器本体と、前記容器本体に対して開閉可能に設けられた蓋から構成される化粧料容器であって、前記フレームは、平行に配置された２個の横骨組、および前記２個の横骨組を繋ぐ１個の縦骨組からなる略Ｉ型の平面形状を有し、前記縦骨組の左右に形成された２個のスペースに、前記２個の横骨組と水平方向にスライド係合する前記化粧皿がそれぞれ着脱可能に配置されていることを特徴とする。
【０００８】
さらに、本発明の化粧料容器は、前記横骨組と平行な枝骨組みが前記縦骨組から延伸され、前記枝骨組みによって前記２個のスペースのいずれかまたは両方が複数に分割され、分割された各スペースに、前記横骨組あるいは前記枝骨組みとスライド係合する化粧皿がそれぞれ着脱可能に配置されている。
【０００９】
また、前記化粧皿の裏面に窪みが設けることが可能である。
【００１０】
そして、前記蓋に側面が設けられ、前記蓋を閉じたときに前記蓋の側面が、前記容器本体に配置された前記化粧皿の露出された側面を覆うようにする。
【発明の効果】
【００１１】
本発明の化粧料容器は、化粧料を収容する複数の化粧皿が１個のフレームにそれぞれが着脱可能に配置された容器本体と、前記容器本体に対して開閉可能に設けられた蓋から構成される化粧料容器であって、前記フレームは、平行に配置された２個の横骨組、および前記２個の横骨組を繋ぐ１個の縦骨組からなる略Ｉ型の平面形状を有し、前記縦骨組の左右に形成された２個のスペースに、前記２個の横骨組と水平方向にスライド係合する前記化粧皿がそれぞれ着脱可能に配置されていることにより、スライド操作により化粧皿を着脱することができるので、簡単に化粧皿を入れ替えすることができる。
【００１２】
さらに、本発明の化粧料容器は、前記横骨組と平行な枝骨組みが前記縦骨組から延伸され、前記枝骨組みによって前記２個のスペースのいずれかまたは両方が複数に分割され、分割された各スペースに、前記横骨組あるいは前記枝骨組みとスライド係合する化粧皿がそれぞれ着脱可能に配置されていることにより、前記枝骨組みの個数によってより多くの化粧皿を着脱可能に配置することが可能となる。
【００１３】
さらに、前記化粧皿の裏面に窪みを設けることにより、前記化粧皿のスライド動作をし易くすることが可能である。
【００１４】
そして、前記蓋に側面が設けられ、前記蓋を閉じたときに前記蓋の側面が、前記容器本体に配置された前記化粧皿の露出された側面を覆うようにすることで、前記蓋を閉じているときに前記化粧皿が脱落するのを防止することができる。
【図面の簡単な説明】
【００１５】
【図１】化粧料容器を開いた状態の斜視図である。
【図２】化粧料容器を閉じた状態の斜視図である。
【図３】化粧料容器から化粧皿を取り外した状態の斜視図である。
【図４】化粧料容器の裏面の平面図である。
【図５】図４のＡ−Ａ断面図である。
【発明を実施するための形態】
【００１６】
本発明を、図を用いて以下に詳細に説明する。図１が化粧料容器１を開いた状態の斜視図、図２が閉じた状態の斜視図であり、図３が化粧料容器１の容器本体２から複数の化粧皿５，５’を取り外した状態の斜視図である。
【００１７】
本発明の化粧料容器１は、図１〜３に示すように、化粧料を収容する複数の化粧皿５，５’が１個のフレーム４にそれぞれが着脱可能に配置された容器本体２と、前記容器本体２にヒンジ結合されて開閉可能に設けられた蓋３から構成される。前記フレーム４は、平行に配置された２個の横骨組６、前記２個の横骨組６を繋ぐ１個の縦骨組７、および前記横骨組６の右側から、前記横骨組６と平行に延伸する２個の枝骨組８から構成され、前記２個の横骨組６と前記１個の縦骨組７は略Ｉ型となるように配置されている。
【００１８】
前記フレーム４には、図３に示すように、前記横骨組６、前記縦骨組７および前記枝骨組８によって、前記化粧皿５，５’が着脱可能に配置されるスペースが、前記縦骨組７の左側に１個、右側に２個の合計４個形成されており、左側のスペースには１個の化粧皿５が配置され、右側の３個の等分割されたスペースには前記化粧皿５よりも小さく、互いに同じ大きさに形成された３個の化粧皿５’が配置される。前記スペースの個数は適宜設定可能である。
【００１９】
前記化粧皿５，５’はそれぞれに１種類の化粧料が収容される収容部が形成され、各化粧皿５，５’の両側面には水平方向に延びる溝９が設けられている。前記化粧皿５，５’の側面に設けられた溝９が前記横骨組６および前記枝骨組８の側面に水平方向に延伸するように設けられた凸部１０と水平方向にスライド係合する構造となっており、このようなスライド係合を用いることで前記化粧皿５は前記フレーム４に対して着脱可能な構造となっている。
【００２０】
さらに、図３に示すように、前記溝９には略半円形断面を有する突起１１が設けられ、前記凸部１０に設けられた同じく略半円形断面を有する突起１２と前記突起１１が係合することで、前記フレーム４に配置された前記化粧皿５，５’が前記フレーム４に固定され、前記化粧皿５，５’が脱落するのを防止している。前記溝９を凸部とし、前記凸部１０を溝として、前記化粧皿５，５’を前記フレーム４にスライド係合させることもできる。スライド係合の構造としては、その他の構造を用いることも可能である。
【００２１】
３個の化粧皿５’は上述のように互いに同じ大きさに形成されているので、前記縦骨組７の右側に形成された３個のスペースの何れの場所にも着脱可能である。これにより、使用者は化粧料の色や種類に応じて前記化粧皿５’を好みの位置に配置することもできる。
【００２２】
前記蓋３は前記横骨組６の１個とヒンジ係合されていることで、容器本体２に対して開閉可能となっており、前記蓋３に設けられたフック１６が前記横骨組６の残りの１個に設けられた凹部１３と係合することで、蓋３が容器本体２を閉じた状態でロックされる。前記蓋３はヒンジ係合だけでなく、スライドによって開閉可能な構造とすることもできる。さらに、前記蓋３の内面には鏡を設けることも可能である。
【００２３】
さらに、前記蓋３の両側には側面１４が設けられており、前記蓋３を閉じたときに前記側面１４が容器本体２の側面に位置し、前記化粧皿５，５’の前記フレーム４から露出している側面を覆う状態となる。このように前記蓋３の側面１４が前記化粧皿５，５’の露出した側面を覆うことにより、前記化粧皿５，５’はスライドできない状態となり、前記化粧料容器１をカバン等に入れているときに前記突起１１と前記突起１２の係合が解除されるような力が不用意に化粧皿５，５’に加わったとしても、前記化粧皿５，５’が前記フレーム４から脱落するのを防止することができる。
【００２４】
前記化粧皿５，５’の裏面には、図４，５に示すような、平面形状が円形の窪み１５がそれぞれ設けられている。前記容器本体２から取り外す際に前記窪み１５に指先を入れることで前記化粧皿５，５’に力を加え易くなり、簡単に前記化粧皿５，５’のフレーム４との係合を解除して前記化粧皿５，５’を取り外すことが可能となる。前記窪み１５の代わりに滑り止めとなるリブや突起を設けることも可能である。
【００２５】
前記化粧皿５，５’を前記容器本体２から取り外すときは、前記蓋３を開けて、図１に示す状態から前記化粧皿５，５’を取り外す方向に力を加えて、前記突起１１と前記突起１２との係合を解除し、前記化粧皿５，５’を水平方向にスライドさせると簡単に取り外すことができる。前記化粧皿５，５’を前記容器本体２に取り付けるときには、図３に示す状態から前記化粧皿５，５’の両側面の溝９に前記横骨組６あるいは前記枝骨組８の凸部１０が挿入されるように位置合わせを行い、前記化粧皿５，５’を前記突起１１が前記突起１２と係合するまでスライドさせて前記容器本体２に取り付ける。
【００２６】
本発明の化粧料容器１は、上述のような前記化粧皿５，５’の取り外し動作の際に、使用者は化粧皿５，５’の裏面と縁を持って水平方向にスライドさせることで、前記化粧皿５，５’を取り外すことができるので、使用者は化粧皿５，５’に収容された化粧料に触れることなく、簡単な動作で着脱することができる。これにより、使用者は指先を汚さずに簡単に化粧皿５，５’の入れ替えを行うことができる。
【００２７】
また、前記化粧皿５，５’は蓋３を開けているときは、前記突起１１と前記突起１２との係合により固定されており、さらに、蓋３を閉めた状態では、前記蓋３の側面１４が前記化粧皿５，５’の側面を押さえることにより、より強固にロック状態が保たれて不用意に前記化粧皿５，５’が外れてしまうの防止するので、化粧料容器１を安心してカバン等に入れた状態で持ち運びすることができる。
【００２８】
前記化粧皿５，５’の平面形状として、ここでは矩形の場合について説明してきたが、平面形状が矩形の場合、前記化粧皿５，５’の向きは左右反対でも前記フレーム４に取り付けることができる。そのため使用者はその都度前記化粧皿５，５’の向きを細かく確認することなく簡単に取り付けることができる。
【００２９】
また、前記化粧皿５，５’の平面形状としては、矩形に限定するものではなく、前記フレーム４とスライド係合する２個の側面を有する形状であれば、例えば前記縦骨組７と接する面が曲線や折れ曲がった直線の形状とすることもできる。また、３個の化粧皿５’が同じ大きさ同じ形状を用いているが、それぞれ異なる形状とすることも可能である。このようにして前記化粧皿５，５’の平面形状に様々な形状を用いることにより、デザイン性を高めた化粧料容器１とすることができる。
【００３０】
さらに、前記化粧皿５，５’を、化粧用具を収容するために用いることも可能である。これにより、化粧料と化粧用具を収容した化粧皿５，５’を組み合わせることでより使い勝手を高めることができる。
【００３１】
本発明の化粧料容器１の使用方法としてはいくつかの方法が考えられる。化粧皿５，５’に収容されている化粧料が無くなった場合、化粧料が無くなった化粧皿５，５’と同じものだけを購入して新しい化粧皿５，５’と空になった化粧皿５，５’を入れ替えることができる。これにより、１個の化粧皿５，５’が空になったとしても、新しい化粧料容器１を購入する必要が無くなる。また、予め複数の化粧皿５，５’を用意しておき、必要に応じて入れ替えて使用することもできる。
【符号の説明】
【００３２】
１        化粧料容器
２        容器本体
３        蓋
４        フレーム
５，５’  化粧皿
６        横骨組
７        縦骨組
８        枝骨組
９        溝
１０      凸部
１１      突起
１２      突起
１３      凹部
１４      側面
１５      窪み
１６      フック
【図１】
0005502598.tif 000002
【図２】
0005502598.tif 000003
【図３】
0005502598.tif 000004
【図４】
0005502598.tif 000005
【図５】
0005502598.tif 000006